(57)【特許請求の範囲】
【請求項１】
横方向のスカート（１１１）と一体的なカバー（１１２）で形成されたキャップ（１１）と、
腕時計の中央部分に対する前記キャップ（１１）の角度的な向きを調整するデバイスと
を有する向き調整可能なねじ込み式要素であって、
前記キャップ（１１）の角度的な向きを調整する前記デバイスは、第１の平坦な摩擦面（２３１）を備える第１の部品と、
第２の平坦な摩擦面（３１）及び戻し手段を備える前記キャップ（１１）と一体的にされており、前記キャップ（１１）を前記第１の部品と一体的に回転させる第２の部品とを有し、
前記キャップ（１１）及び前記第１の部品は、第１の位置（Ｐ１）と第２の位置（Ｐ２）の間で互いに対して軸方向に動くことができ、
前記第１の位置（Ｐ１）においては、前記第１の平坦な摩擦面（２３１）及び前記第２の平坦な摩擦面（３１）がそれぞれ前記戻し手段によって互いに対して押し、
前記第２の位置（Ｐ２）においては、前記第１の平坦な摩擦面（２３１）及び前記第２の平坦な摩擦面（３１）どうしは接しておらず、
前記戻し手段、前記第１及び第２の摩擦面（２３１、３１）は、前記キャップ（１１）が前記第１の位置（Ｐ１）にある前記第１の部品と一体的に回転し、前記第２の位置（Ｐ２）にある前記向き調整可能なねじ込み式要素（１）の回転軸（Ａ−Ａ）を中心に自由に回転することができ、
前記第１及び第２の摩擦面（２３１、３１）は、水平面において配置されている
ことを特徴とする向き調整可能なねじ込み式要素。
【請求項２】
前記カバー（１１２）及び前記横方向のスカート（１１１）は、前記第１の部品に接続される中央パイプ（２）を収容するように構成する中央開口部（１１５）を定める
ことを特徴とする請求項１に記載の向き調整可能なねじ込み式要素。
【請求項３】
第１の平坦な摩擦面（２３１）を備えた前記第１の部品は、中央パイプ（２）のまわりに交換可能な摩耗カラー（２３）を形成する
ことを特徴とする請求項１又は２に記載の向き調整可能なねじ込み式要素。
【請求項４】
第２の平坦な摩擦面（３１）を備えた前記キャップ（１１）と一体的な前記第２の部品は、交換可能な環状の向き調整摩耗部品（３）である
ことを特徴とする請求項１〜３のいずれか１項に記載の向き調整可能なねじ込み式要素。
【請求項５】
前記戻し手段は、前記ねじ込み式要素の回転軸（Ａ−Ａ）に沿った内側に向いている軸方向の力（Ｆ１）を与える
ことを特徴とする請求項１〜４のいずれか１項に記載の向き調整可能なねじ込み式要素。
【請求項６】
前記戻し手段は、弾性板ばね（４）又は形状記憶ばねからなる
ことを特徴とする請求項１〜５のいずれか１項に記載の向き調整可能なねじ込み式要素。
【請求項７】
前記板ばね（４）は、最大厚（Ｅ１）が０．１ｍｍであり、前記キャップ（１１）のカバー（１１１）の内表面（１１４）の第１の肩部（１１４１）と、前記第１の部品の第２の肩部（２３２）との間に構成し、
前記第１の肩部（１１４１）は、最大の深さ（Ｅ２）が０．２ｍｍである
ことを特徴とする請求項６に記載の向き調整可能なねじ込み式要素。
【請求項８】
前記第１及び第２の摩擦面（２３１、３１）は、磁化されている
ことを特徴とする請求項１〜７のいずれか１項に記載の向き調整可能なねじ込み式要素。
【請求項９】
当該要素は、腕時計用ムーブメントに接続されたステムに接続されたピストン（９）を有し、
前記ピストン（９）は、中央パイプ（２）に収容されており、前記中央パイプ（２）の内部で動くことができるように構成し、
前記ピストン（９）の移動距離は、前記中央パイプ（２）の止めメンバー（２２）によって制限される
ことを特徴とする請求項１〜８のいずれか１項に記載の向き調整可能なねじ込み式要素。
【請求項１０】
前記ピストン（９）は、六角形の下部端（９３）を有し、前記中央パイプ（２）は、対応する形の開口部を有する
ことを特徴とする請求項９に記載の向き調整可能なねじ込み式要素。
【請求項１１】
前記中央パイプ（２）は、向き調整用の周部のギアリングノッチ（２４）を有する
ことを特徴とする請求項９又は１０に記載の向き調整可能なねじ込み式要素。
【請求項１２】
位置（Ｐ１）から位置（Ｐ２）への変更には、２３〜２８Ｎの強さの戻し手段に対抗する力（Ｆ２）を与えることを必要とする
ことを特徴とする請求項１〜１１のいずれか１項に記載の向き調整可能なねじ込み式要素。
【発明の詳細な説明】
【技術分野】
【０００１】
本発明は、計時器用のねじ込み式要素の向きを調整するデバイスに関し、特に、外表面上のモチーフ又はロゴを有し、モチーフの向きを意図的に調整することがあり得るようなつまみの向きを調整するデバイスに関する。
【背景技術】
【０００２】
ねじ込み式つまみが、腕時計の巻き又は制御ステムの密封性を改善するように、腕時計において一般的に装備されている。この種のつまみには、時計を巻いたり設定することができる非ねじ込み位置と、腕時計用ケースの中央へと駆動又はねじ込まれる管につまみがねじ込まれロックされるようなねじ込み位置とを有するという特徴がある。このねじ込み位置において、密封用ガスケットが押されて腕時計の密封性が向上する。したがって、ねじ込み位置は、腕時計が着用されたときの通常の位置に相当し、密封用ガスケットの摩耗以外は変わらないものである。
【０００３】
腕時計用ケースに対するこれらのねじ込み式つまみの製造及び実装は広く知られている。しかし、これらのつまみをマウントする方法は、外表面に銘刻ないしモチーフ、例えば、ロゴ、製造者ブランド、又は同様な紋章があるような、ねじ込み式つまみには適していないものである。実際に、既知のマウント方法は、つまみがねじ込まれるとつまみをケースに対して所定の向きにすることが一般にはできない。このことは、銘刻がつまみの外表面に付される場合に、ケースの美観を害してしまう。つまみを豪華な高品質な製品に嵌める場合には、これはもちろん課題となる。
【０００４】
ロゴの向き調整の信頼性の点からこれらの課題を克服するために、欧州特許ＥＰ１４１１４０１は、特定のつまみを開示しており、これは、その外側上面上に、中心体及び横方向のスカートで形成されるヘッドに対して向き調整が可能な基板を有しており、この基板には、銘刻が設けられており、圧力がブレーキ手段に対してかけられた場合に、つまみのヘッドとの回転係合を解除することができる。この手法の課題は、一方では、伝統的ではないつまみ構造が必要となって、向き調整可能なロゴが、つまみのヘッドとの単一部品として作られず、他方では、この手法は、基板に圧力を与える衝撃に対して堅牢ではなく、これによって、つまみの本体に関して所望しない手法でつまみの向きが変わることになる。また、つまみを操作する場合にいくつもの使用上の注意をしなければならない。これによって、ケースの中央部分へのいずれの圧力も加えることを避けて、基板の不注意な回転を防ぐことになる。これによって、つまみの使用が不便になってしまう。
【０００５】
従来のつまみにおいて、他のいくつかの手法が提案されている。このつまみは、向き調整されるロゴが機械加工される外表面上にくぼんだキャップを有し、その内部に向き調整デバイスが設けられている。例えば、欧州特許出願ＥＰ１１２４１６７Ａ１においては、中央部分と管の間又はつまみと管の間で形状記憶合金のリングが配置され、つまみが管にねじ込まれるとつまみが所定の向き又は位置に調整される。リングの変形を調整することによって、具体的には、腕時計の周囲を所定の温度にすることによって直径を縮小することによって、中央部分と管の間、つまみと管の間において一時的な遊びを形成することができる。これによって、つまみをそのねじ込み位置に角度調整することが可能になる。この手法の課題は、標準つまみと比較して必然的に大きな体積のつまみを必要とするので、リングに付加的なスペースが必要になることである。このことは、向き調整デバイスの大きさを決める際に考慮に入れられなければならない。また、形状記憶合金は、小さな大きさのバーでは、現状では利用可能ではない。したがって、当該アプリケーションに必要な小さな寸法構成の関心事のリングを機械加工することは難しく高コストである。最後に、このプロセスは、腕時計の製造業者による初期のつまみのマウントのみを想定しており、温度変化に敏感な腕時計の他の部品を破損することがあるその後のつまみの向き調整操作を想定してはいない。
【０００６】
欧州特許ＥＰ２１８２４１７は、ロゴ付きキャップを備えたねじ込み式つまみの向き調整の代替デバイスを提示している。これは、３つの管を有し、そのうちの２つはそれぞれ、ナットによって接触状態を保持することができるトゥーシングによって他の管に対して向きの調整ができる。この手法は、ナットを緩めることによって、初期マウントの後につまみの向きの設定を訂正することを確かに可能にする。しかし、ナットの収容のためにつまみの内部においてより深い開口部を必要とするので、特にかさばることが明らかである。また、つまみをケースと離して行うようなモジュール的な手法で向きの調整を行うことができない。なぜなら、特定のインデックス化要素は、中央部分にねじ込まれた管と一体的にされているからである。
【０００７】
欧州特許ＥＰ１７０１２２５は、銘刻と、巻きステムと一体的なヘッドとが特徴的な従来のキャップを備えた向き調整可能なねじ込み式つまみを記載している。そのヘッドとキャップは、弾性要素によって互いに接触するように保持される円錐台面によって一体的に回転するように形成され、キャップの角度位置は、つまみの長手方向の軸に従う中央部分に対してキャップを軸方向に引き出すことによって調整される。キャップとヘッドとの一体的な回転が、円錐台面間の摩擦力のみによって達成されるとすれば、これらの面は、キャップが保持されることを確実にするために非常に広い面積を占めなければならない。これは、弾性要素によって次第にはたらかせられる圧縮力が、つまみがマウントされる腕時計の寿命の期間にわたって小さくなる場合において特にである。したがって、この手法は大きさが小さいつまみや高さが低いつまみには適していない。
【発明の概要】
【発明が解決しようとする課題】
【０００８】
本発明は、単純で経済的な構造の伝統的なつまみのような、ねじ込み式要素の向き調整用のデバイスを提供することによって、従来技術の課題を克服することを目的とし、このデバイスは、ロゴ又は商標のようなモチーフを有し、前記要素の外表面に付されるロゴ又は商標の位置を所定の位置又は向きに容易に調整することができ、前記要素の大きさを小さくすることができる。
【課題を解決するための手段】
【０００９】
このために、本発明は、横方向のスカートと一体的なカバーで形成されたキャップと、腕時計の中央部分に対するキャップの角度的な向きを調整するデバイスとを有する向き調整可能なねじ込み式要素であって、キャップの角度的な向きを調整するデバイスは、第１の平坦な摩擦面を備える第１の部品と、第２の平坦な摩擦面及び戻し手段を備えたキャップと一体的にされており、キャップを第１の部品と一体的に回転させる第２の部品とを有する。キャップ及び第１の部品は、第１の位置と第２の位置の間で互いに対して軸方向に動くことができ、第１の位置においては、第１の平坦な摩擦面及び第２の平坦な摩擦面がそれぞれ戻し手段によって互いに対して押し、第２の位置においては、第１の平坦な摩擦面及び第２の平坦な摩擦面どうしは接していない。戻し手段、第１及び第２の摩擦面は、キャップが第１の位置にある第１の部品と一体的に回転し、第２の位置にある向き調整可能なねじ込み式要素の回転軸を中心に自由に回転することができる。
【００１０】
平坦な摩擦面どうしの連係の利点は、関連する接触面の減少のために当業者にとっては自然でないが、ねじ込み式要素に小型の利点を与えるということである。したがって、この手法は、特に、非常に小さな大きさの部品に適している。
【００１１】
好ましい実施形態によると、戻し手段が与える力の方向及び強さは、工具の援助を得られない腕時計の実際のユーザーによってではなく、アセンブリ時、又は例えばサービス時に製造業者によってのみ調整を行うことができるように決められる。したがって、例えば、衝撃に続く、操作におけるいずれのエラー及び／又は向きのいずれの望まない変化をも、回避することができる。
【００１２】
添付図面を参照して例（これに限定されない）として与えられる好ましい実施形態についての下記の詳細な説明によって、本発明の他の特徴及び利点が明らかになるであろう。
【図面の簡単な説明】
【００１３】
【図１】キャップカバーの外表面上のロゴを備えた向き調整可能なつまみの形態のねじ込み式要素の上面図を示す。
【図２】安静状態にある、本発明の好ましい実施形態による向き調整デバイスが嵌められた図１の向き調整可能なつまみの部分断面図を示す。
【図３】図１の向き調整可能なつまみの下面図を示しており、ピストンとパイプの外部断面をより詳細に示している。
【図４】図２と同様の断面図であり、キャップがヘッドから分離されて、中央部分から離れた位置において、キャップ上のモチーフを所定の位置に角度的な向きを調整することが可能になるような位置につまみがある。
【発明を実施するための形態】
【００１４】
以下に説明するすべての図に示した好ましい実施形態において、向き調整可能なねじ込み式要素は、つまみ１からなる。図１は、つまみ１の上面図であり、出願人のロゴＬ「Ω」がキャップ１１のカバー１１２の外表面１１３にあり、その中には、図２〜４を参照して以下で説明する向き調整デバイスが収容されている。美観的な理由で、このロゴＬは、完全に水平な位置に調整されており、これは、好ましくは、つまみがマウントされる腕時計の中央部分の平面に対応している。この図は、さらに、キャップの外周にトゥーシングＤを示しており、これは、つまみ１に対するユーザーのつかみを向上させることが意図されている。
【００１５】
図２は、つまみの回転軸Ａ−Ａに沿った右半部を断面して示す断面図であり、これは、本発明の好ましい実施形態に係る向き調整機構を示している。つまみ１は、ねじ付き管１０に接したねじ込み位置にあるように示しており、これは、雌ねじ１０２が管状の形の中央パイプ２の雄ねじ２１と連係しつつ、第１の雄ねじ１０１によって腕時計用ケース（図示せず）の中央部分にねじ込まれるように意図されている。代替実施形態によると、管に直接ねじ込まれる従来のつまみに対して、管１０の雌ねじ１０２は、さらに、第２の雄ねじからなるであることができ、中央パイプ２の雄ねじ２１は同様に雌ねじからなるであることができる。第１のガスケット１０３は、密封のために管１０と中央部分の間で配置されるように意図されている。
【００１６】
キャップ１１は、表面のカバー１１２及び軸方向に延びるスカート１１１で形成され、これらはともに、ねじ込み式要素１を形成するつまみの内部に中央開口部１１５（判読性向上のために図３にのみ符号を記した）を定める。その中には、中央部分と一体的なねじ付き管１０の端だけではなく中央パイプ２が配置されている。図示した好ましい実施形態によると、中央のねじ管２は、つまみ１のキャップ１１と、腕時計の中央部分の間の中間要素と（図示していないが、止まり穴内の雌ねじ９１を介してピストン９の下部端９３上に従来の手法でマウントされている）、及びムーブメントと相互作用するステムとからなる。管１０にねじ込まれた位置においては、中央パイプ２の向きは、ねじ付き管１０に対して常に同一であり、結果的に、中央部分への移行性によって、後者は第１の雄ねじ１０１を介してもねじ回しをされる。したがって、カバー１１２の上面１１３に記されたモチーフ又はロゴＬの向きを決めるのは、つまみ１のキャップ１１に対する中央パイプ２の相対的な向きである。中央パイプ２のこの向きは、ギアリングノッチ２４の調整により決定することができる、これは、この目的のために設けられたものであり、中央パイプ２の下部に配設されており、その好ましい形態を下で説明する図３に示した。
【００１７】
中央パイプ２の相対的な軸方向の位置は、キャップ１１に対して可変であり、つまみ１の向きの調整モード及びロックモードをそれぞれ決定する。図２には、キャップ１１の角度的な向きのロックモードＰ１を示した。一方、以下に説明する図４には、キャップ１１用の角度的な向きの調整モードＰ２を示した。
【００１８】
中央パイプ２内に収容されるピストン９は、キャップ１１のカバー１１２の内表面１１４で止められたばね５に対抗するように滑ることができ、そして、具体的には、つまみ１が機能をセットするために使用される場合に、つまみ１が中央パイプ２から緩められるときに、キャップ１１が中央部分から出現することが可能になる（例、時間をセットする、日付を調整する、又は手動でムーブメントを巻くこと）。つまみ１のＡ−Ａが制限される回転軸に沿ったピストン９の軸方向の移動は、ピストン９の第１の肩部９２が位置する中央パイプ２の底に位置する止めメンバー２２によって制限される。つまみ１がねじ付き管１０から緩められる場合、以下に説明する図４に示すように、ピストン９はその移動距離の端に達する。第２の密封用ガスケット７は、典型的にはＯリングジョイントであり、ねじ付き管１０とキャップ１１の軸方向のスカート１１１との間に挿入される。これによって、つまみの内部要素の密封が確実になる。つまみのねじ込み位置において、この第２の密封用ガスケット７は、スペーサーとも呼ばれる第１のリング６と、一般にデッキリングとも呼ばれる第２のリング８との間で軸方向において保持され、この第２のリング８は、つまみ１の下部表面上のガスケットをカバーする。図１に示すように、この第２のガスケット７は、管１０の一部上で押される。代わりに、キャップ１１の軸方向に延びるスカート１１１に設けられ、ねじ付き管１０の方を向いている環状溝によって、第２のガスケット７用の２つの環状保持リング６及び８を置き換えることができる。
【００１９】
本発明によれば、キャップ１１が中央パイプ２に組み立てられる。これによって、これらは通常一体的に回転する。図２に示したロック又は静止位置Ｐ１におけるようにである。このアセンブリは取り除くことが可能ないし可逆的な手法で達成される。この一体的な回転は、つまみの中央パイプ２及びキャップ１１にそれぞれマウントされる環状の摩耗性部品に好ましくは位置する第１及び第２の平坦な摩擦面２３１、３１によって得られ、これは、例えば、溶接、クリンピング（圧接）、又は他の適切な手段によって、中央パイプ２の上部端に固定されたカラー２３、及びキャップ１１の内部で固定された環状の向き調整部品３である。このようにして、中央パイプ２のカラー２３及び環状の向き調整部品３は、摩擦面どうしが接触するように配置されたつまみ１のキャップ１１と一体的な第１の部品及び第２の部品のための好ましい実施形態を形成する。第１及び第２の平坦な摩擦面２３１、３１を構成するために摩耗部品を選ぶことによって２つの利点がある。一方では、カラー２３及び向き調整部品３のためにキャップ１１及び中央パイプ２の材料からより良い摩擦特性の異なる材料を選ぶことを可能にすることである（例、特に摩擦係数が大きい、複合材料、金属合金とセラミックスの混合物、「デュアルマトリックスコンポジット（ＤＭＣ）」）。他方では、このモジュール構造によって、サービス又は修理時に、摩擦によって摩耗する部品の必要な部分のみを交換することができる。
【００２０】
ピストンの伸びに関わる戻し手段は、キャップ１１及び中央パイプ２を、カラー２３と向き調整リング３の間で圧縮力Ｆ１をはたらかせることによって一体的に回転させ、これによって、第１及び第２の摩擦面２３１をそれらがお互いにロック位置Ｐ１で接触するように保持する。図示した好ましい実施形態によると、戻し手段は、カラー上に位置する第２の肩部２３２とカバー１１２の実質的に平坦な内表面１１４の第３の肩部１１４１との間で配置された高々０．２ｍｍの厚みＥ１の板ばね４からなる。第３の肩部１１４１の深さｅ２によって、カラー２３が固定される中央パイプ２の最大の軸方向の移動距離を定めることが可能になり、一方、カラー２３に位置する第２の肩部２３２は、板ばねに対してより大きなてこの腕を与え、これによって、より容易に変形することになる。肩部の幅によって、このてこの腕を調整することが可能になり、それによって、与える力を調整して、第１及び第２の摩擦面３１、２３１を互いから解放させることが可能になる。したがって、このような戻し手段のためのつまみの内部で要求されるスペースの高さは、最大０．４ｍｍである。これは、曲がったばねのような通常の弾性ばねよりもはるかに小さい。高さをさらに小さくするために、また、第２の平坦な摩擦面３１を、環状の向き調整部品３のような特定の部品上ではなく、スペーサー、すなわち、第１のリング６の上部表面上に直接配置することもできる。
【００２１】
図示した実施形態によると、戻し手段が与える力Ｆ１は、回転軸Ａ−Ａの方向の下方に作用する。これは、マウントされた位置のつまみの中央の内側に対応する。この力Ｆ１の向きによって、ユーザーがつまみ１の向きを変えることを不可能にする。なぜなら、ユーザーはキャップ１１にのみ作用することができ、したがって、ねじ付き管１０から中央パイプ２を取り除かせるように意図された力を発生させることができないからである。このことは、図４を考慮に入れて以下に説明する。
【００２２】
図２に示す好ましい実施形態によると、戻し手段が与える力Ｆ１は、垂直方向の回転軸Ａ−Ａの方向に沿ってはたらき、一方、第１及び第２の摩擦面２３１、３１が水平面上で構成する。このような構成によって、表面どうしで押す力を最大限にすることを可能にし、結果的に、キャップ１１の回転を中央パイプ２の回転と一体的な状態を維持する傾向がある。これは、摩擦面間の摩擦力のみに依存するものである。その摩擦力の強さは、戻し手段Ｆ１が与える力への反作用の大きさに直接依存する。したがって、前記力が摩擦面に垂直な方向に与えられる場合に、この強さはなお一層大きくなる。結果的に、本発明の範囲内において、より一般的には、戻し要素は、好ましくは、それらが、第１及び第２の摩擦面２３１、３１の間の接触平面と垂直な方向に摩擦力をはたらかせるように構成する。
【００２３】
図３は、図２に示す横断軸Ｂ−Ｂに沿ったつまみの下面図を示す。この図の周辺部分は、中でねじ付き管１０が係合しているつまみ１の中央開口部１１５を示す。一方、中央パイプ２の下部端は、六角形の断面の開口部を有しており、識別することができる。この開口部は、ピストン９３の下部端と連係するように意図されており、その内部では、ステム（図示せず）との接続用の雌ねじ９１がムーブメントと相互作用するのを見ることができる。この場合、ピストン９の下部端９３も、対応する大きさの六角形であり、これによって、中央パイプ２及びピストン９が、通常少なくともつまみ向き調整位置Ｐ２において一体的に回転する。この特定の六角形の断面の構成によって、従来の六角キーのような工具でつまみが管１０から緩められる場合に、次の段落で説明する図４に示すように、中央パイプ２の角度的な向きを操作することを簡単にする。例えば、正方形又は三角形である中央パイプの基礎において設けられる開口部には、好まれる工具に応じてこの操作を行うために、他の断面を設けることも想起することができる。つまみ１の角度的な向きを調整するためのピストン９に対する直接的な作用の際のピストン９と中央パイプ２の間のねじれ制約によって、好ましい実施形態は、連動する配置が中央パイプ２の下部周囲上のギアリングノッチ２４の構成に関し、これによって、ノッチにおいて係合する対応する形状を有する歯を備えるキーによって回転駆動する。ノッチの数及びそれらの深さは、パイプに与える必要があるねじれのモーメントに依存し、図３においては８つが示されている。
【００２４】
図４は、調整位置Ｐ２における図２のつまみ１を示す。これにおいて、第１及び第２の平坦な摩擦面２３１、３１どうしが接触しないように、中央パイプ２のギアリングノッチ２４と係合するキー２０を使用して、使用される戻し手段（ここでは板ばね４）が力Ｆ１とは反対方向の力Ｆ２の付与によって押されており、中央パイプ２の軸方向の移動距離は、カバー１１４の内表面上の第３の肩部１１４１の深さＥ２によって決められ、十分の数ミリメートルである。図４に示す部品はすべて、図２のものと同一である。しかし、図２とは異なり、ピストン９のばね５は伸びることができる。これは、キャップ１１の位置のための雄ねじから又はピストン９がマウントされるように意図されている巻きステムのインデックスを付けられた位置からの軸方向の応力がもはやないからである。つまみがロック位置Ｐ１又は向き調整位置Ｐ２のどちらにあるかを判断するのは、ピストン９のばね５の縮み位置又は伸び位置ではないことがわかる。この位置は、戻し手段４の位置のみによって定められる。
【００２５】
好ましい実施形態によると、板ばね４は、位置Ｐ１から位置Ｐ２への変更には、戻し手段４に対抗するように与えられる力Ｆ２をはたらかせられることが必要となるように決められる。この力Ｆ２は、静止状態（すなわち、ロック位置Ｐ１にある状態）の戻し手段によって与えられる力Ｆ１よりも２倍大きい強さを有する。これによって、つまみ１の向き調整用操作におけるいずれの誤りをもなくす。板ばね４が与える力Ｆ１が１４Ｎ（ニュートン）である場合、これは、標準的な設定レバーの軸方向の位置を変えるのに必要な力（一般的には１０Ｎ未満）より相当に大きく、２８Ｎの力がつまみ１の向きを調整するために必要であるように、板ばね４の可塑性が構成される。要求される力Ｆ２（２３〜２８Ｎの強さ）の値をわずかに減らすために、調整動作時のつまみの操作を促進するために、板ばね４に穴を開けることもできる。変種の１つにおいて、戻し要素は、弾性材料で作られずに形状記憶合金（ＳＭＡ）で作られるように板ばねからなることもでき、その結果、戻し力Ｆ２を温度勾配と交換して、回転ロック接続を解放する。この場合、遷移温度は通常の動作温度よりもかなり下（好ましくは、３０度低下）にあるべきである。
【００２６】
なお、図２及び４に示した好ましい実施形態によると、一旦つまみ１が中央パイプ２に組み立てられれば、ユーザーは調整を行うことができない。実際に、カラー２３の内側面上に第１の摩擦面２３１を設け、力Ｆ１を内側に与えることによって、一方では、ユーザーがキャップ１１を引いてつまみ１を中央部分の軸方向外側に動かす場合、中央パイプ２からのキャップ１１のいかなる分離をも防ぐ。なぜなら、この方向のキャップの動きによって、摩擦面どうしが押し合うことになるからである。また、他方では、中央部分にキャップ１１を押しても、摩擦面どうしを分離することにはならない。つまみ１が中央部分の近傍の位置にない場合、すなわち、可能な限り中央部分に近い軸方向の位置にない場合、戻し手段を、この場合、押すことができる。しかし、トゥーシングを分離するために与えられる力は、巻きステムの駆動によって中央部分の近傍位置にキャップ１１を戻すような力よりもはるかに大きくなければならない。したがって、摩擦面を分離することができる前に、まず、キャップがその近傍位置に戻される。この位置において、管１０をねじ回しすること以外では、中央部分の内部への更なる軸方向の運動をすることはできず、摩擦面どうしが離れることが可能にしようと戻し手段をもはや押すことができない。このようにして、操作におけるいずれのエラーをも防ぐことができ、つまみが中央パイプ２から緩められる工具が使用された場合にのみ、つまみの向きを変えることができる。工具としては、例えば、ギアリングノッチ２４に作用するキー２０を使用することができ、これは、キャップ１１を外すのに必要な力Ｆ２、そしてねじりモーメントを与えて、キャップ１１に対して中央パイプ２の角度位置を調整する。
【００２７】
戻し手段については、図を参照して説明し、弾性板ばね４又は形状記憶ばねを有する実施形態は、中央パイプ２の上部表面と、中央開口部１１５におけるカバー１１２の内表面の間の制限されたスペースしか必要としないという利点を有し、このスペースは、板ばね４の厚みＥ１及びカバー１１４１の内表面の肩部Ｅ２の深さとの和と等しい。キャップ１１に対する中央パイプ２の軸方向の変位の可能性を確実にするように最小のクリアランスがなければならないが、摩擦面の近傍の磁化された表面のような他の種類の戻し手段も可能である。この表面は、例えば、カラー２３の一部、環状の向き調整部品３の一部、又は強磁性体で機械加工された第１及び第２の摩擦面２３１、３１と一体となったものであることができる。磁気戻し手段の使用は、付加的な専用部分の使用をなくすことが可能になるという利点を有し、これによって、つまみ１の体積の追加的な減少が可能になり、具体的には、板ばね４の厚みＥ１と等しい高さの減少が可能になる。したがって、システム全体の小型化をさらに促進することができる。しかし、磁気フリクション表面の使用は、板ばねの代わりとして用いるだけではなく、つまみ１のキャップ１１が中央パイプ２と一体的な静止位置まで戻し力Ｆ１を増やすための相補的な手段として用いることができ、これによって、接触面を増やす必要なしに摩擦力を改善することができる。
【００２８】
なお、中央パイプ２に配置されたキャップ１１を使用することによって、つまみの製造業者がこのようなパイプの在庫を持ち、異なるモチーフ又は宝石などの他の要素が付されていたり正方形、楕円形又は他の特定の幾何学的形状の非円筒状の外形を有するような異なるキャップ１１とともにそのようなパイプを使用することが可能になる。
【００２９】
請求の範囲に係る発明は、つまみ１の例（これに制限されない）に関連して主として説明したが、クレームされたねじ込み式要素は、手動又は自動の弁、押しボタン、修正器又は向き調整可能な裏蓋などからなることができる。
【図１】
0005931294.tif 000002
【図２】
0005931294.tif 000003
【図３】
0005931294.tif 000004
【図４】
0005931294.tif 000005